(57)【特許請求の範囲】
【請求項１】
一以上のスタンドアロン型リーダライタによる端末機を備えた一以上の端末側が、上記端末機の端末側モデムを介して公衆電話回線によりホスト側モデムを経てホストコンピュータに接続してなるリライトカード使用のポイントカードシステムにあって、当該端末機から当日の処理データを上記ホストコンピュータへバッチオンラインで一括転送する際、当該ホストコンピュータからは、当該端末側より別途入手した入会申込書に基づき作成した同上端末側における新規入会登録会員氏名データリストを受信して、これを前記端末機に格納し、会員番号は磁気記録と印字処理済であるが氏名の印字されていないリライトカードを受け取ったポイントカード会員が、その後当該リライトカードを当該端末側にて使用することで、前記の端末機に格納された新規入会登録会員氏名ファイルリストから前記の会員番号で照合した該当氏名データを、当該リライトカードに磁気記録することで、端末機である当該スタンドアロン型リーダライタによって印字が可能となるようにしたことを特徴とするポイントカードシステムにおけるスタンドアロン型リーダライタ用リライトカードに登録会員氏名を印字する方法。
【請求項２】
一以上のスタンドアロン型リーダライタによる端末機を備えた一以上の端末側が、上記端末機の端末側モデムを介して公衆電話回線によりホスト側モデムを経てホストコンピュータに接続してなるリライトカード使用のポイントカードシステムにあって、当該端末機から当日の処理データを上記ホストコンピュータへバッチオンラインで一括転送する際、当該ホストコンピュータからは、当該端末側より別途入手した入会申込書に基づき作成した同上端末側における新規入会登録会員氏名データリストを受信して、これを前記端末機に格納し、会員番号は磁気記録と印字処理済であるが氏名の印字されていないリライトカードを受け取ったポイントカード会員が、その後にあって氏名の書き込み完了フラグが磁気データに設けられているリライトカードを、当該端末側にて使用することで、上記の書き込み完了フラグがＯＦＦで、前記の端末機に格納された新規入会登録会員氏名データリストにあって、その前記した会員番号に該当する氏名データが存するときは、これを当該リライトカードに磁気記録することで、上記の書き込み完了フラグをＯＮにして当該氏名データを端末機である当該スタンドアロン型リーダライタによって印字し、この書き込み完了の氏名を当該新規入会登録会員氏名データリストから削除するようにしたことを特徴とするポイントカードシステムにおけるスタンドアロン型リーダライタ用リライトカードに登録会員氏名を印字する方法。
【請求項３】
一以上のスタンドアロン型リーダライタによる端末機を備えた一以上の端末側が、上記端末機の端末側モデムを介して公衆電話回線によりホスト側モデムを経てホストコンピュータに接続してなるリライトカード使用のポイントカードシステムにあって、当該端末機から当日の処理データを上記ホストコンピュータへバッチオンラインで一括転送する際、当該ホストコンピュータからは、当該端末側より別途入手した入会申込書に基づき作成した同上端末側における新規入会登録会員氏名データリストを受信して、これを当該端末機に格納し、会員番号は磁気記録と印字処理済であるが氏名の印字されていないリライトカードを受け取ったポイントカード会員が、その後にあって氏名の書き込み完了フラグが磁気データに設けられているリライトカードを、当該端末側にて使用することで、上記書き込み完了フラグがＯＦＦで、前記の端末機に格納された新規入会登録会員氏名データリストにあって、その前記した会員番号に該当する氏名データが存するときは、これを当該リライトカードに磁気記録することで、上記の書込完了フラグをＯＮとして当該氏名データを端末機である当該スタンドアロン型リーダライタによって印字し、この書き込み完了の氏名を当該新規入会登録会員氏名データリストから削除し、前同書き込み完了フラグがＯＮで、前記の端末機に格納された新規入会登録会員氏名データリストにあって、その前同会員番号に該当する氏名データが存するときは、別の端末機によりリライトカードを使用することで、既に当該氏名の書き込みが完了していることを知得し、これにより当該端末機における新規入会登録会員氏名データリストから当該氏名を削除するようにし、前同書き込み完了フラグがＯＮで、前記の端末機に格納された新規入会登録会員氏名データリストにあって、該当する氏名データが存しないときは、当該リライトカードへの氏名に関する処理はなく、ポイント演算などの通常処理を行うようにしたことを特徴とするポイントカードシステムにおけるスタンドアロン型リーダライタ用リライトカードに登録会員氏名を印字する方法。
【請求項４】
一以上のスタンドアロン型リーダライタによる端末機を備えた一以上の端末側が、上記端末機の端末側モデムを介して公衆電話回線によりホスト側モデムを経てホストコンピュータに接続してなるリライトカード使用のポイントカードシステムにあって、当該端末機から当日の処理データを上記ホストコンピュータへバッチオンラインで一括転送する際、当該ホストコンピュータからは、当該端末側より別途入手した入会申込書に基づいて作成した当該端末側における新規入会登録会員氏名データリストを受信して、これを当該端末機に格納し、会員番号は磁気記録と印字処理済であるが氏名の印字されていないリライトカードを受け取ったポイントカード会員が、その後にあって氏名の書き込み完了フラグが磁気データに設けられているリライトカードを、当該端末側にて使用することで、上記書き込み完了フラグがＯＦＦであり、前記の端末機に格納された新規入会登録会員氏名データリストにあって、その前記した会員番号に該当する氏名データが存するときは、これを当該リライトカードに磁気記録することで、上記の書き込み完了フラグをＯＮとして当該氏名データを端末機である当該スタンドアロン型リーダライタによって印字し、この書き込み完了の氏名を当該新規入会登録会員氏名データリストから削除し、前同書き込み完了フラグがＯＮで、前記の端末機に格納された新規入会登録会員氏名データリストにあって、その前同会員番号に該当する氏名データが存するときは、別の端末機によりリライトカードを使用することで、既に当該氏名の書き込みが完了していることを知得し、これにより当該端末機における新規入会登録会員氏名データファイルから該当氏名を削除するようにし、前同書き込み完了フラグがＯＮで、前記の端末機に格納された新規入会登録会員氏名データリストにあって、その同上会員番号に該当する氏名データが存しないときは、当該リライトカードへの氏名に関する処理はなく、ポイント演算などの通常処理を行うようにし、前同書き込み完了フラグがＯＮであり、前記の端末機に格納された新規入会登録会員氏名データリストにあって、その同上会員番号に該当する氏名データは存するが、識別フラグが修正である場合には、当該氏名データをリライトカードに磁気記録することで書き込み完了フラグをＯＮとして、当該端末機であるスタンドアロン型リーダライタによって印字し、この書き込み完了の氏名を当該新規入会登録会員氏名データリストから削除するようにしたことを特徴とするポイントカードシステムにおけるスタンドアロン型リーダライタ用リライトカードに登録会員氏名を印字する方法。
【請求項５】
一以上のスタンドアロン型リーダライタによる端末機を備えた店舗等による複数の端末側が、上記各端末側における端末機の端末側モデムを介して公衆電話回線によりホスト側モデムを経てホストコンピュータに接続してなるリライトカード使用のポイントカードシステムにあって、端末機から当日の処理データを上記ホストコンピュータへバッチオンラインで一括転送する際、当該ホストコンピュータからは、当該端末側より別途入手した入会申込書に基づき作成した当該端末側に係る新規入会登録会員氏名データリストを受信して、これを当該端末機に格納し、会員番号は磁気記録と印字処理済であるが氏名の印字されていないリライトカードを受け取ったポイントカード会員が、その後リライトカードを当該端末側で使用した場合には、前記の端末機に格納された新規入会登録会員氏名データリストから前記の会員番号で照合した当該氏名データを、当該リライトカードに磁気記録することで、端末機である当該スタンドアロン型リーダライタによって印字が可能となり、前記したポイントカード会員が、その後当該リライトカードを別店舗等である他端末側で使用した場合には、当該情報が、当該他端末側から当日の処理データを前同ホストコンピュータへバッチオンラインで一括転送されて、当該他端末側における全端末機の新規入会登録会員氏名データリストに登録されて、これがホストコンピュータから当該他端末側の端末機に格納され、このポイントカード会員が次回に当該リライトカードを、当該他端末側で使用することにより、当該他端末側の各端末機に格納された新規入会登録会員氏名データリストから同上会員番号で照合した当該氏名データを、当該リライトカードに磁気記録することで、端末機である当該スタンドアロン型リーダライタによって印字が可能となるようにしたことを特徴とするポイントカードシステムにおけるスタンドアロン型リーダライタ用リライトカードに登録会員氏名を印字する方法。
【発明の詳細な説明】
【０００１】
【発明の属する技術分野】
本発明は既知のように顧客の再来を期待して、店舗等に顧客が入会申込書を提示することで、スタンドアロン型リーダライタなる端末機により、予め会員番号等の印字されたリライトカード（磁気）を受け取り、来店の都度購入金額に応じたポイントが加算され、当該ポイント数に応じたサービスを会員が受け得るポイントカードシステムの運用に関し、この際当該リライトカードに会員の氏名を漢字で印字するのに好適な方法に係るものである。
【０００２】
【従来の技術】
前記ポイントカードシステムにあっては、既知の通り、単なるリライトカードのばらまきによる運用の時代から、既にポイントカード会員のデータベース処理を併せ持つ運用に切り替わりつつあり、このような時代的背景下にあって、ポイントカード会員からは、自分のリライトカードに会員番号等だけでなく氏名を漢字で印字してほしいという要求が強くなってきている。しかし端末機として、スタンドアロン型リーダライタが使用されているポイントカードシステムにあっては、以下のような理由により氏名データの印字処理については、これまで実施を見るに至っていない。
【０００３】
すなわち、氏名印字の第１手段としては「リライトカードに磁気記録されている会員番号をキーにして、会員データベースを参照し、氏名を印字すること」が知られているが、スタンドアロン型リーダライタのみで処理するためには、会員データベースを当該リライトカードリーダライタ上に作成しなければならない。ところが当該会員データベースは一般に大容量となってしまうため、これを格納することが困難となるだけでなく、さらにスタンドアロン型リーダライタに日本語入力機能を持たせることが難事であることから、会員氏名の漢字による印字自体ができないということになる。
【０００４】
もちろん上記手段を実施しようとすれば、上記のスタンドアロン型リーダライタにパソコンまたはＰＯＳを接続するようにした一店舗一端末機による運用であれば、前記の会員データベースは、上記のパソコンまたはＰＯＳ上に持ち得ると共に、日本語入力機能も容易に提供できることになり、従ってリライトカードに氏名を印字することは可能となるのであるが、この場合には、上記の如くハードウエアの導入に費用がかかるだけでなく、設置環境の点でも制約があることから、氏名の印字に関する要請には、これまで対応できないのが現状である。
また端末機がネットワーク環境下にあれば、ホストコンピュータ上に会員データベースを持つようにすることで、複数の端末機を備えるようにした場合にあっても、その運用が可能となるものの、追加のハードウエア費用や運用費用の派生が問題となる。
【０００５】
次に氏名印字の第２手段としては、「リライトカードにポイントカード会員の氏名を磁気記録しておき、その氏名データによりリライトカードに印字すること」も知られている。
この場合にも当然日本語入力機能が要請されることになるが、スタンドアロン型リーダライタなるものは、日本語入力機能として具有している内容が漢字コードを直接入力する方式程度であって、現在一般的に行われている仮名漢字変換機能を盛り込むことは困難であることから、スタンドアロン型リーダライタにより氏名データを入力することは実際上困難となる。
もちろん、前記の第１手段と同様にスタンドアロン型リーダライタにパソコンやＰＯＳを接続して運用するようにすれば、当該第２手段によるときでも、日本語入力機能が提供可能となるから、リライトカードに対する氏名の印字は当然可能となるのであるが、この場合にも追加のハードウエアや運用費用の問題が生ずることになる。
【０００６】
しかし、さらに問題となることは、前記の第１、第２手段の何れの場合にあっても、これを実施しようとすると以下の如き別の難点が生じ、このことがスタンドアロン型リーダライタによるリライトカードに氏名を印字する際の決定的な隘路となっているのが現状である。
すなわち、上記両手段共通の課題となっている内容は、特定店舗等で入会を希望する顧客が入会申込書を提出し、これに基づき会員番号等だけが印字されたリライトカードを、当該顧客に手渡すだけであれば、もちろんそれほどの待時間を要しないが、前記のパソコンかＰＯＳまたはホストコンピュータを操作することで、氏名の印字されたリライトカードを手渡すとすれば、当該会員の登録手続に、どうしても相当程度の時間をかけなければならないことになる。
【０００７】
この結果入会希望者たる顧客に対して、短時間で対応しなければならない通常の小売店等における会計処理にあっては、実際上氏名印字済のリライトカードを入会当初に発行する時間的な余裕が許容されないのであり、結局ホテル、美容院、会員クラブなどのように、しばらくの間顧客を待たせることの許される店舗等での運用以外には、氏名印字済のリライトカードを入会に際し交付することが不能となっているのである。
そして、上記の問題を解消しようとすることも検討されているものの、それには会員の登録用カウンタと、氏名印字済のリライトカードを発行するための別カウンタとを設置しておき、氏名印字を望む顧客に対してだけ、その要望を充足させるといったことが提案されているだけであり、これを実現するためには店舗等にあって、可成りのスペースを取ることになり、かつ人件費等も嵩むだけでなく、全会員の氏名印字はできないこととなる。
【０００８】
【発明が解決しようとする課題】
本発明はポイントカードシステムにおける従来の氏名印字にかかる問題に鑑み検討されたもので、先ず請求項１の場合によると、ポイントカードシステムの入会希望者が入会手続をした当日にあっては、これまでと同じく会員番号等が印字されただけのリライトカードの交付を受けることになるが、当該登録後にあってリライトカードを使用した際には、端末機としてのスタンドアロン型リーダライタによって、労せずに当該登録会員の氏名が印字されるようにし、このことで全登録会員につき氏名印字の要望を充足させようとするのが第１の目的である。
【０００９】
さらに同上請求項１では、店舗等の端末機であるスタンドアロン型リーダライタから、当日の処理データを端末側モデム−公衆電話線−ホスト側モデムを介してホストコンピュータへバッチオンラインで一括転送する際、ホストコンピュータからは、新規に入会した登録会員氏名データリストが当該端末機に受信されて格納されるようにしておくのである。
かくして追加のハードウエア費用や運用費用を派生することなく、しかもスタンドアロン型リーダライタに格納されるのは、新規入会登録会員名だけとして、データ量が過大となる心配を解消し、当該端末機にあって、リライトカードの会員番号と上記した新規入会登録会員の格納済である氏名ファイルリストとを照合して、当該氏名データをリライトカードに磁気記録し、これによって当該スタンドアロン型リーダライタによるリライトカードへの氏名印字を可能にしようとするのが第２の目的である。
【００１０】
次に請求項２にあっては、上記請求項１のようにリライトカードの登録後における使用時に氏名印字を行い得るようにするだけでなく、リライトカードの磁気データに氏名の書き込み完了フラグを設定しておくようにし、当該書き込み完了フラグがＯＦＦであれば、これをＯＮとして前記した如くスタンドアロン型リーダライタによる氏名を印字すると共に、当該書き込み完了の氏名を参照した新規入会登録会員の氏名ファイルリストから削除してしまうようにし、かくして請求項１の目的に加えて、格納要領の小さなスタンドアロン型リーダライタにおけるデータ量の増大を防ぎ、一定容量内での運用を確保し得るようにしている。
【００１１】
また請求項３の場合には、上記請求項２の構成に対し、さらに前記したフラグがＯＮで、新規入会登録会員氏名データリスト中に会員番号に該当する氏名が存在したとき、これを別の端末機によりリライトカードが使用されて氏名の印字が完了したと認識することで、この氏名を同上氏名データリストから削除するようにし、これによりスタンドアロン型リーダライタにおけるデータ容量の増大を、さらに抑制しようとしている。
そして、上記の如く書き込み完了フラグがＯＮであっても、前同氏名データリスト中にその氏名がない場合には、リライトカードへの氏名に関する処理がなされないようにし、これにより誤作動のない運用を確保しようとしている。
【００１２】
請求項４では、上記した請求項３の構成に加えて、「修正」なる識別フラグをリライトカードに設定し、前同書き込み完了フラグがＯＮで前同氏名データリストに会員番号に該当する氏名データが存しているが、識別プラグが上記の「修正」であるときは、このデータをリライトカードに磁気記録することで書き込み完了フラグをＯＮとして氏名印字を行うと共に、当該氏名を前同氏名データリスト中から削除することで、登録時における氏名印字の誤記をも修正可能にしようとしている。
【００１３】
さらに請求項５にあっては、端末側としての店舗等が複数店である場合について、一端末側の端末機で氏名の印字されていないリライトカードを受け取ったポイントカード会員が、その後別他端末側で当該リライトカードを使用した際、当該情報が、当該他端末側から当日の処理データをホストコンピュータへバッチオンラインで一括転送されて、当該他端末側における全端末機の新規入会登録会員氏名データリストに登録され、これがホストコンピュータから当該端末側の端末機に格納されるようにする。
そして次回に当該リライトカードが、この端末側で使用されると、今度は上記の格納された新規入会登録会員氏名データリストに基づき、前説同様にして氏名の印字が行われることになるようにしている。
【００１４】
このことにより請求項５によるときは、ホストコンピュータから多数の端末側における全端末機に対して新規入会登録会員氏名データリストを送信することなしに、リライトカードを発行した端末側の端末機と、氏名印字されていないリライトカードを使用した他の端末側における端末機だけに送信しさえすれば、全会員の氏名印字なる所期の目的が達成できることになり、かくして各端末側の端末機におけるデータ量の増大を抑制しようとしている。
【００１５】
【課題を解決するための手段】
本発明は、上記の目的を達成するため、請求項１にあっては一以上のスタンドアロン型リーダライタによる端末機を備えた一以上の端末側が、上記端末機の端末側モデムを介して公衆電話回線によりホスト側モデムを経てホストコンピュータに接続してなるリライトカード使用のポイントカードシステムにあって、当該端末機から当日の処理データを上記ホストコンピュータへバッチオンラインで一括転送する際、当該ホストコンピュータからは、当該端末側より別途入手した入会申込書に基づき作成した同上端末側における新規入会登録会員氏名データリストを受信して、これを前記端末機に格納し、会員番号は磁気記録と印字処理済であるが氏名の印字されていないリライトカードを受け取ったポイントカード会員が、その後当該リライトカードを当該端末側にて使用することで、前記の端末機に格納された新規入会登録会員氏名ファイルリストから前記の会員番号で照合した該当氏名データを、当該リライトカードに磁気記録することで、端末機である当該スタンドアロン型リーダライタによって印字が可能となるようにしたことを特徴とするポイントカードシステムにおけるスタンドアロン型リーダライタ用リライトカードに登録会員氏名を印字する方法を提供しようとしている。
【００１６】
次に請求項２が、上記請求項１に比し相違するところは、会員番号は磁気記録と印字処理済であるが氏名の印字されていないリライトカードを受け取ったポイントカード会員が、その後にあって氏名の書き込み完了フラグが磁気データに設けられているリライトカードを、当該端末側にて使用することで、上記の書き込み完了フラグがＯＦＦで、前記の端末機に格納された新規入会登録会員氏名データリストにあって、その前記した会員番号に該当する氏名データが存するときは、これを当該リライトカードに磁気記録することで、上記の書込完了フラグをＯＮにして当該氏名データを端末機である当該スタンドアロン型リーダライタによって印字し、この書き込み完了の氏名を当該新規入会登録会員氏名データリストから削除するようにしたことにある。
【００１７】
請求項３にあっては、上記の請求項２における構成に対して以下の事項が付加されたものであり、書き込み完了フラグがＯＮで、前記の端末機に格納された新規入会登録会員氏名データリストにあって、その前同会員番号に該当する氏名データが存するときは、別の端末機によりリライトカードを使用することで、既に当該氏名の書き込みが完了していることを知得し、これにより当該端末機における新規入会登録会員氏名データリストから当該氏名を削除するようにし、前同書き込み完了フラグがＯＮで、前記の端末機に格納された新規入会登録会員氏名データリストにあって、該当する氏名データが存しないときは、当該リライトカードへの氏名に関する処理はなく、ポイント演算などの通常処理を行うようにしたことを、その内容としている。
【００１８】
また請求項４では、上記の請求項３に対して、さらに、前同書き込み完了フラグがＯＮであり、前記の端末機に格納された新規入会登録会員氏名データリストにあって、その同上会員番号に該当する氏名データは存するが、識別フラグが修正である場合には、当該氏名データをリライトカードに磁気記録することで書き込み完了フラグをＯＮとして、当該端末機であるスタンドアロン型リーダライタによって印字し、この書き込み完了の氏名を当該新規入会登録会員氏名データリストから削除するようにしたこしたことが付加されたものである。
【００１９】
そして請求項５では、一以上のスタンドアロン型リーダライタによる端末機を備えた店舗等による複数の端末側が、上記各端末側における端末機の端末側モデムを介して公衆電話回線によりホスト側モデムを経てホストコンピュータに接続してなるリライトカード使用のポイントカードシステムにあって、端末機から当日の処理データを上記ホストコンピュータへバッチオンラインで一括転送する際、当該ホストコンピュータからは、当該端末側より別途入手した入会申込書に基づき作成した当該端末側に係る新規入会登録会員氏名データリストを受信して、これを当該端末機に格納し、会員番号は磁気記録と印字処理済であるが氏名の印字されていないリライトカードを受け取ったポイントカード会員が、その後リライトカードを当該端末側で使用した場合には、前記の端末機に格納された新規入会登録会員氏名データリストから前記の会員番号で照合した当該氏名データを、当該リライトカードに磁気記録することで、端末機である当該スタンドアロン型リーダライタによって印字が可能となり、前記したポイントカード会員が、その後当該リライトカードを別店舗等である他端末側で使用した場合には、当該情報が、当該他端末側から当日の処理データを前同ホストコンピュータへバッチオンラインで一括転送されて、当該他端末側における全端末機の新規入会登録会員氏名データリストに登録されて、これがホストコンピュータから当該他端末側の端末機に格納され、このポイントカード会員が次回に当該リライトカードを、当該他端末側で使用することにより、当該他端末側の各端末機に格納された新規入会登録会員氏名データリストから同上会員番号で照合した当該氏名データを、当該リライトカードに磁気記録することで、端末機である当該スタンドアロン型リーダライタによって印字が可能となるようにしたことを特徴としている。
【００２０】
【発明の実施の形態】
本発明に係る請求項１につき図１を参照して以下詳記すると、同図に例示のものは、一機ではなく三機のスタンドアロン型リーダライタによる端末機１ａ、１ｂ、１ｃを備えた、一つの店補等による端末側１Ａが具備されている場合を例示しており、上記端末機１ａ、１ｂ、１ｃは、何れも夫々の端末機１ａ、１ｂ、１ｃに接続された端末側モデム２ａ、２ｂ、２ｃを介し、公衆電話回線３によりホスト側モデム４を経て、ホストコンピュータ５に接続することにより、リライトカード６を使用のポイントカードシステムを構成することになる。
そこで請求項１にかかる登録会員氏名の漢字による印字方法にあっては、上記した端末機１ａ、１ｂ、１ｃから当日の処理データを、業務終了後などにあって、上記した端末機１ａ、１ｂ、１ｃを用い、管理部門であるホストコンピュータ５に、既知の如く受信側モデム４を介して、バッチオンラインで一括転送する際、当該ホストコンピュータ５からは、既に当該端末側１Ａから別途入手した入会申込書７に基づいて作成した同上端末側１Ａにおける新規入会登録会員氏名データリスト８ａ、８ｂ、８ｃを受信して、当該端末機１ａ、１ｂ、１ｃに夫々格納するのである。
【００２１】
さて、ここで上記した入会申込書７は実際上、ホストコンピュータ５側へ、ファックス便、Ｅメール、あるいは郵送等適宜手段により伝達され、これに基づき前記した端末側１Ａにおける各端末機１ａ、１ｂ、１ｃに送信すべき新規入会登録会員の氏名ファイルリスト８ａ、８ｂ、８ｃを作成しておくことになるのである。そして図１に開示の如くこれらの各氏名データリスト８ａ、８ｂ、８ｃには、実際上端末機１ａ、１ｂ、１ｃに係る端末コード０１、０２、０３と、会員番号００００１〜００００４そして当該各会員の氏名、さらには請求項２以降にあって説示する識別フラグ等が表示されることになる。
従って、上記の如き段階にあっては、これまでの入会手続と同様に交付された新規入会会員のリライトカードには、会員番号である００００２等が図示のように印字されているものの、もちろん氏名の漢字表示はない。
ここで、上記した最初に会員へ渡すことになるリライトカードは、前もって会員番号を磁気記録し、かつ印字されたものであり、これを用意するためには、端末機により磁気記録と印字処理を行うようにすることも可能であるが、別途専用機を用いて大量に作っておくのが一般的である。
【００２２】
本発明では上記の氏名印字がないリライトカード６を、次に当該端末側１Ａにて使用した際、前記のようにして端末機１ａ、１ｂ、１ｃには、新規入会登録会員氏名データリスト８ａ、８ｂ、８ｃが格納済であることから、これとリライトカード６の会員番号００００２等とを照合した該当氏名データ（図１における田中花子）を、当該リライトカードに磁気記録することで、端末機である当該スタンドアロン型リーダライタによって常法により当該氏名を印字するのである。
【００２３】
従って上記の如き請求項１による印字方法によるときは、最初に入会手続を行った端末機から入手のリライトカード６には氏名印字がないが、次回には氏名印字のなされたリライトカード６を受け取ることができ、会員を当該店舗等において待たせるといったことなしに、入会者の要望を満足させることができる。
しかも本方法では前記のように端末側１Ａからの処理データをバッチオンラインで一括転送する際に、新規入会登録会員のみの氏名データリストをホストコンピュータから受信するようにしているので、特別の追加ハードウエア費用や運用費用が派生せず、従って導入し易いポイントカードシステムを提供し得るだけでなく、スタンドアロン型リーダライタの格納能力は小容量であっても、会員データベースの如き大容量である全氏名を格納するのではないため、支障なしに氏名印字の目的を達成することが可能となる。
【００２４】
次に請求項２に係る印字方法について詳記すると、上説の請求項１につき以下の如き構成内容が付加されている。
すなわち図２を参照して説示すると、前記の通り端末機とか専用機によって会員番号は磁気記録と印字処理済であるが氏名の印字されていないリライトカード６を受け取ったポイントカード会員が、その後に当該端末側１Ａの端末機１ａ（端末コード０１）にてリライトカード６を使用すると、この際当該リライトカード６には氏名の書き込み完了フラグが磁気データに設けられており、当該書き込み完了フラグはＯＦＦ（氏名未印字）であって、かつ前記氏名ファイルリスト８ａには、その会員番号００００３に該当するデータ「鈴木一郎」が存していれば、これを当該リライトカード６に磁気記録することで、上記した書込完了フラグをＯＮにするのである。
そして請求項１につき説示したと同様に、当該氏名データを端末機１ａであるスタンドアロン型リーダライタにより印字するだけではなしに、この書き込み完了の氏名「鈴木一郎」を、当該新規入会登録会員氏名データリスト８ａから削除するのである。
【００２５】
従って当該請求項２によるときは上記した請求項１による場合に比し、さらに適切なる識別フラグの活用によって当該氏名データリスト８ａから、書き込み完了の氏名を削除するようにしたので、より一層スタンドアロン型リーダライタの格納容量に対する過度の容量増大を抑制することができる。
【００２６】
さらに請求項３について以下説示すると、ここでは上記請求項２の内容につき次の事項が付加されている。
すなわち図３を参照して、これを明示すると前記した書き込み完了フラグが、請求項２のようにＯＦＦでなくＯＮ（氏名印字済）であり、前記の端末機８ａに格納された新規入会登録会員氏名データリスト８ａにあって、その前記した会員番号に該当する氏名データが存する場合には、別の端末機２ｂ、２ｃにおいてリライトカード６を使用することで、既に当該氏名（山田太郎）の書き込みが完了していることを知得し、これに基づいて当該端末機２ａにおける新規入会登録会員氏名データリスト８ａから当該氏名を削除するのである。
さらにこの請求項３にあっては図４により理解されるように、上記の如く書き込み完了フラグはＯＮであるが、前掲端末機２ａに格納の新規入会登録会員氏名データリスト８ａ中に、当該会員番号に該当する氏名データが存在しない場合であれば、このリライトカード６への氏名に係る処理はなく、ポイント演算などの通常処理のみが実施されるようにする。
【００２７】
従って請求項３によるときは、請求項２による作用、効果に加えて、別の端末機により氏名の印字を完了したリライトカード６が、他の端末機で使用された場合にも、その格納された前同氏名データリストから、当該使用者の氏名が削除され、端末機における容量過超の問題を抑制することができると共に、書込完了（ＯＮ）のリライトカードが使用された端末機の同上氏名データリストに、当該氏名がない場合にも支障なく通常の処理が保証されることになる。
【００２８】
次に請求項４につき図５を参照して以下説示すると、ここでは上記の請求項３の内容に以下の事項が付加されている。
すなわち、前記したリライトカード６の磁気データに「修正」の識別フラグを設けるようにしており、当該リライトカード６には「田中花江」と氏名印字がなされていて、前記した書き込み完了フラグがＯＮであるが、端末機１ａに格納された新規入会登録会員氏名データリスト８ａにあって、その前記した会員番号（００００２）に該当する氏名データ（田中花子）が存しており、この際識別フラグが「修正」であるといった場合の処理に関している。この発明においては、このような場合にあって先ず当該氏名データ（田中花子）をリライトカード６に磁気記録することで書き込み完了フラグをＯＮとし、さらに当該端末機１ａであるスタンドアロン型リーダライタにより、これを印字し、さらにこの書き込み完了の氏名を、当該氏名データリスト８ａから削除するのである。
従って本発明によるときは氏名データに関し入会登録時に誤記のあった場合にあっても、上記の如く修正フラグを持つことで、その修正を行うことが可能となり、もちろん前同氏名データリストにおける氏名データ数を増大させてしまうといったことも抑止することができる。
【００２９】
請求項５について図６により以下詳記すると、ここでは図１によって説示した端末側１Ａが一店舗であるのに比し、複数店舗等としての端末側１Ａ、２Ａ、３Ａが存在している場合における特有の問題に解決を与えようとしている。
すなわち、この場合は一以上のスタンドアロン型リーダライタによる端末機１ａ、１ｂ、１ｃ・１ｄ、１ｅ、１ｆ・１ｇ、１ｈ、１ｉを夫々備えた店舗等による複数の端末側１Ａ、２Ａ、３Ａが、当該各端末側１Ａ、２Ａ、３Ａにおける端末機１ａ、１ｂ、１ｃ・１ｄ、１ｅ、１ｆ・１ｇ、１ｈ、１ｉの端末側モデム２ａ、２ｂ、２ｃ・２ｄ、２ｅ、２ｆ・２ｇ、２ｈ、２ｉを介して、公衆電話回線３によりホスト側モデム４を経てホストコンピュータ５に接続してなるリライトカード６を使用のポイントカードシステムに関するものである。
【００３０】
従ってこのような場合には実際上、端末側１Ａの店舗コードを０１、その端末機１ａ、１ｂ、１ｃの端末コードは、夫々店舗番号と端末番号を組み合わせた０１０１、０１０２、０１０３として管理され、同様にして端末側２Ａ、３Ａでは、端末機１ｄ、１ｅ、１ｆ・１ｇ、１ｈ、１ｉの端末コードが、０２０１、０２０２、０２０３・０３０１、０３０２、０３０３によって管理されることになる。
そして請求項１〜４と同様に端末機１ａ、１ｂ、１ｃ・１ｄ、１ｅ、１ｆ・１ｇ、１ｈ、１ｉから当日の処理データを上記のホストコンピュータ５へバッチオンラインでかつ転送する際、当該ホストコンピュータ５からは、当該端末側１Ａ、２Ａ、３Ａより別途入手した入会申込書７に基づき作成した当該端末機に係る新規入会登録会員氏名データリストを受信して、これを当該端末機に格納する。
【００３１】
そして、これまた請求項１〜４と同じく上記した当日に端末機によって前説した会員番号は印字されているが氏名の印字されていないリライトカード６を受け取ったポイントカード会員が、当該リライトカード６を同じ端末側で使用した場合には、前記した端末機に格納された新規入会登録会員氏名データリストから前同会員番号で照合した当該氏名データを、当該リライトカード６に磁気記録することで、端末機である当該スタンドアロン型リーダライタによって印字が可能となる。
さらに本発明では、上記したように入会時にあって氏名印字のないリライトカード６を受け取り、これを同じ端末側で使用することなく、当該ポイントカード会員がその後にあって別店舗等である他端末側である２Ａか３Ａにおいて使用した場合、以下のような処理がなされることになる。
【００３２】
すなわち、上記のように他端末側２Ａまたは３Ａにて前同リライトカード６が使用された場合には、当該情報が、この他端末側２Ａまたは３Ａから当日の処理データを前同ホストコンピュータ５へバッチオンラインで一括転送されて、当該他端末側２Ａまたは３Ａにおける全端末機１ｄ、１ｅ、１ｆまたは１ｇ、１ｈ、１ｉの新規入会登録会員氏名データリストに登録され、ホストコンピュータ５から当該他端末側の端末機に格納されるようにするのである。
そして、このポイントカード会員が次回にあって、当該氏名印字なしのリライトカード６を、この他端末２Ａまたは３Ａで使用することにより、上記の各端末機１ｄ、１ｅ、１ｆ・１ｇ、１ｈ、１ｉに前記のようにして格納されている新規入会登録会員氏名データリストから会員番号で照合した当該氏名データを、前同様にして当該リライトカード６に磁気記録することで、端末機である当該スタンドアロン型リーダライタによって印字が可能となるように処理するのである。
【００３３】
従って、請求項５によるときは、リライトカード６を発行した端末側の端末機と、氏名印字のなされていないリライトカードを使用した他の他端側における端末機だけに、新規入会登録会員氏名データリストを送信するだけで、全会員に対する氏名印字がなし得ることになり、従って多数の端末側を有するポイントカードシステムにおける極めて多い全端末機に対して、同上氏名データを送信するといったことなしに、全会員の氏名印字なる所期の目的を達成し得ることになり、かつ端末機のデータ量の増大化をも阻止することができる。
【００３４】
【発明の効果】
本発明は以上のようにして構成されているから、請求項１によるときはポイントカードシステムで使用しているスタンドアロン型リーダライタに用いられるリライトカードに、登録会員の漢字氏名が印字されず、会員の希望を充足し得なかった現況に鑑み、入会当初は当該印字のないリライトカードを入手することになるが、ホストコンピュータへのバッチオンラインによる公衆電話回線を介しての処理データに係る一括転送の際にあって、ホストコンピュータからの送信により、新規入会のみの氏名ファイルリストを端末機に格納しておくことで、次回のリライトカード使用に際し、スタンドアロン型リーダライタによる氏名印字が労せずして実現され、かくして全登録会員の氏名印字に係る要望を、顧客を長時間待たせることなし満足させることが可能となる。
また本発明によるときは、ポイントカードシステムを採択する側に対して、ハードウエア費用や運用費用の派生といった負担の問題を解消することができ、小容量であるスタンドアロン型リーダライタに対して新規入会登録会員氏名データリストだけの格納ですむことになるので、データ量が過大となる容量上の心配もなくなる。
【００３５】
請求項２によるときは、上記請求項１の効果に加えて氏名の書き込み完了フラグを磁気データとして設定することで、氏名印字の完了したリライトカードと、完了していないリライトカードとを判別して、印字するか否かを知得し、これにより誤りなく氏名印字を行い得るようにするだけでなく、書き込み完了の氏名を新規入会登録会員氏名データリストから削除するようにし、これによりデータ量の増大を抑制し、一定小容量内での運用を可能として、スタンドアロン型リーダライタの特性を充分に活用することができる。
【００３６】
さらに請求項３にあっては、上記請求項２の効果に加えて、氏名の書き込み完了フラグがＯＮであっても、前同氏名データリスト中に会員番号に該当する氏名が存在しているようなときは、他の端末機によって印字されたと判断し、当該氏名データリスト中から削除してしまうようにしたので、スタンドアロン型リーダライタのデータ容量につき、その不本意な増大化を、より確実に抑制することが可能となる。
また、上記の書き込み完了フラグがＯＮで、かつ同上氏名データリスト中に、その氏名がないときは、氏名に係る処理を行わないようにし、誤動作のない運用を期することができる。
【００３７】
そして請求項４によるときは、これまた請求項３の効果に加えて、リライトカードに「修正」の識別フラグを設定したので、書き込み完了フラグがＯＮでも識別フラグが「修正」であれば、この正しい氏名データにより印字を行い、かつ、これを当該氏名データリスト中から削除するようになるので、入会の登録処理に際して氏名の誤記があったとしても、後日その修正を行うことができ、かつスタンドアロン型リーダライタの大容量化を抑止することができる。
【００３８】
請求項５によるときは、店舗等が多数店であり、氏名印字のないリライトカードを一店舗等で入手したポイントカード会員が、他の店舗で当該リライトカードを使用したような場合でも、多数店である全店舗に対して新規入会登録会員氏名データリストを、ホストコンピュータから送信して各端末機に格納することなく、入会時における店舗等と、上記した他店舗とに対してだけ新規入会登録会員氏名データリストを送信して格納するだけで済むことになり、この結果各店舗等のスタンドアロン型リーダライタにおけるデータ量の増大を抑制し、全会員の氏名印字なる所期の目的を労することなく達成し得ることになる。
【図面の簡単な説明】
【図１】請求項１による登録会員氏名の印字方法を示したポイントカードシステムにおいて、その端末側の端末機とホストコンピュータとの結線状態と、リライトカードおよび新規入会登録会員氏名データリストとの関連を示した説明図である。
【図２】請求項２に係る登録会員氏名を印字する方法にあって、リライトカードと新規入会登録会員氏名データリストとの照合による氏名印字と、印字済氏名の削除を示す処理工程説明図である。
【図３】請求項３に係る前同方法にあって、リライトカードにおける氏名の書き込み完了フラグがＯＮであることにより、新規入会登録会員氏名データリストから、当該氏名を削除する処理工程説明図である。
【図４】前同請求項３に係る方法にあって、リライトカードにおける氏名の書き込み完了フラグがＯＮで、新規入会登録会員氏名データリストに該当する氏名がないときの処理工程説明図である。
【図５】請求項４に係る前同方法にあって、リライトカードの識別フラグが「修正」である場合の処理工程説明図である。
【図６】請求項５に係る前同方法にあって、ポイントカードシステムにおける複数端末側の端末機とホストコンピュータとの結線と、リライトカードおよび新規入会登録会員氏名データリストの関連説明図である。
【符号の説明】
１Ａ  端末側
１ａ  端末機
１ｂ  端末機
１ｃ  端末機
１ｄ  端末機
１ｅ  端末機
１ｆ  端末機
１ｇ  端末機
１ｈ  端末機
１ｉ  端末機
２Ａ  端末側
２ａ  端末側モデム
２ｂ  端末側モデム
２ｃ  端末側モデム
２ｄ  端末側モデム
２ｅ  端末側モデム
２ｆ  端末側モデム
２ｇ  端末側モデム
２ｈ  端末側モデム
２ｉ  端末側モデム
３    公衆電話回線
３Ａ  端末側
４    受信側モデム
５    ホストコンピュータ
６    リライトカード
７    入会申込書
８ａ  新規入会登録会員氏名データリスト
８ｂ  新規入会登録会員氏名データリスト
８ｃ  新規入会登録会員氏名データリスト
８ｄ  新規入会登録会員氏名データリスト
８ｅ  新規入会登録会員氏名データリスト
８ｆ  新規入会登録会員氏名データリスト
８ｇ  新規入会登録会員氏名データリスト
８ｈ  新規入会登録会員氏名データリスト
８ｉ  新規入会登録会員氏名データリスト
【図１】
0003541174.tif 000002
【図２】
0003541174.tif 000003
【図３】
0003541174.tif 000004
【図４】
0003541174.tif 000005
【図５】
0003541174.tif 000006
【図６】
0003541174.tif 000007